(57)【要約】  レンズ系を介して書面２からの反射散乱光を１次元イメージセンサに受光することで主走査を行い、書面２を被覆したハウジング１を手送り移動することで副走査を行う図面イメージの入力手段において、該ハウジング１内の上部に装着され、その受光面が図面と平行になるように設定された１次元イメージセンサと、書面２に垂直でセンサ列方向軸を含む平面に対して傾斜し、かつ該センサ列方向軸と直交した光路面を構成するレンズ系とを備え、該ハウジング１の被覆側端部で主走査する。
2018510744.tif 000002
【特許請求の範囲】
【請求項１】
一つまたは複数の毛髪束を選択的に着色するための毛髪着色装置であって；
トップハウジングと;
係合機構を用いてトップハウジングに移動可能に係合するボトムハウジングと；
前記トップハウジングに設けられた開口内に着脱自在に配置された第1の着色剤充填カートリッジを収容する第1カートリッジキャリアと；
前記ボトムハウジングに設けられた開口部内に着脱自在に配置された第2着色剤充填カートリッジを収容する前記第2のカートリッジキャリアと；
前記第1カートリッジキャリアと前記第2のカートリッジキャリアの近位端部に配置された一対の塗布器チップと；
前記装置を閉位置と開位置との間で交互に切替えることを可能にする前記係合機構と、を含む。
【請求項２】
前記塗布器チップが、前記第1カートリッジキャリア  および前記第2カートリッジキャリアの前記近位端部においてしっかりと固定される、請求項1に記載の毛髪着色装置。
【請求項３】
前記第1カートリッジキャリアおよび前記第2カートリッジキャリアの前記近位端部において着脱可能に溝付けされる、請求項1に記載の毛髪着色装置。
【請求項４】
前記第1着色剤充填カートリッジおよび前記第2着色剤充填カートリッジが、前記第1カートリッジキャリアおよび前記第2カートリッジキャリアの空洞内壁内において緊密に嵌合するようなサイズを持つ、請求項1に記載の毛髪着色装置。
【請求項５】
前記第1着色剤充填カートリッジおよび前記第2着色剤充填カートリッジのサイズが、前記第1カートリッジキャリアおよび前記第2カートリッジキャリアの空洞の内壁よりわずかに小さいサイズである、請求項1に記載の毛髪着色装置。
【請求項６】
前記着色剤充填カートリッジの各々が、前記トップハウジング及び前記ボトムハウジングに対し、着脱可能およびクリップ可能である、請求項1に記載の毛髪着色装置。
【請求項７】
前記塗布器チップの各々が、前記着色剤が前記一つまた複数の毛髪束にぴったりと通される複数の開口部を備える、請求項1に記載の毛髪着色装置。
【請求項８】
前記着色剤が、塗布器チップを通って前記一つまた複数の毛髪束に流れることができる半液体組成物と液体の少なくとも一つである、請求項1に記載の毛髪着色装置。
【請求項９】
前記第1着色剤充填カートリッジおよび前記第2着色剤充填カートリッジが交換可能である、請求項1に記載の毛髪着色装置。
【請求項１０】
前記第1着色剤充填カートリッジおよび前記第2着色剤充填カートリッジが、外部染料資源を用いて着色剤を充填可能である、請求項1に記載の毛髪着色装置。
【請求項１１】
前記外部着色資源が、前記装置に着脱可能に取り付けられる、請求項1に記載の、毛髪着色装置。
【請求項１２】
前記外部着色資源が、前記装置に固定的に取付けられる、請求項1に記載の毛髪着色装置。
【請求項１３】
前記塗布器チップが、前記毛髪束の両面同時着色を可能にする、請求項1に記載の毛髪着色装置。
【請求項１４】
前記塗布器チップが、前記閉位置の間に前記装置に及ぼされる力に基づいて相互に整列される、請求項1に記載の毛髪着色装置。
【請求項１５】
着色剤の分配をしっかりと阻止するために前記一対の塗布器チップに嵌合する交換可能なキャップをさらに含む、請求項1に記載の毛髪着色装置。
【請求項１６】
毛髪着色装置であって、
上部空洞を有するように構成されたトップハウジングと；
係合機構を用いて遠位端部で前記トップハウジングに移動可能に係合し、下部空洞を有するように構成されたボトムハウジングと；
前記塗布器チップの各々が、前記トップハウジング及び前記ボトムハウジングの近位端部に配置される、一対の塗布器チップと；
前記装置を閉位置と開位置との間で、交互に切替えることを可能にする前記係合機構と、を持つ毛髪着色装置。
【請求項１７】
前記塗布器チップは、前記トップハウジングおよび前記ボトムハウジングに固定して配置されることを特徴とする、請求項16に記載の毛髪着色装置。
【請求項１８】
前記塗布器チップは、前記閉鎖位置の間に前記装置に及ぼされる力に基づいて相互に整列される、請求項16に記載の毛髪着色装置。
【請求項１９】
前記上部空洞および前記下部空洞は、外部着色資源を使用して前記着色剤と混合可能である、請求項16に記載の毛髪着色装置。
【請求項２０】
一つまたは複数の毛髪束を選択的に着色するために毛髪着色装置を使用する方法は、毛髪着色装置を備える段階であって、前記毛髪着色装置がトップハウジングを含む段階と、 係合機構を用いてトップハウジングに可動に係合するボトムハウジングと、 前記トップハウジングに設けられた開口内に着脱自在に配置された第1着色剤充填カートリッジを収容する第1カートリッジキャリアと、 第2着色剤充填カートリッジを収容するための第2カートリッジキャリアにおいて、前記第2カートリッジキャリアは、前記ボトムハウジングに設けられた開口部内に着脱可能に配置され、 第1カートリッジキャリアと第2カートリッジキャリアとの近位端部に配置された一対の塗布器チップと、前記装置を閉位置と開位置との間で交互に切替えることを可能にする前記係合機構と；
一つまたは複数の毛髪束に着色剤を分配するため、前記毛髪着色装置を位置と閉位置との間で相互に切替える段階と；
前記一対の塗布器チップの間の閉位置の間に前記一つまたは複数の毛髪束を掴む段階と；
一つまたは複数の毛髪束の長さに沿って毛髪着色装置を移動させる段階と、を含む。
【発明の詳細な説明】
【技術分野】
【０００１】
本発明は、一般的に毛髪染め、より具体的には、毛髪、特に一つまたは複数の毛髪束に、正確で、取り散らさず、迅速かつ効果的に、毛髪着色組成物を塗布することができる毛髪着色装置とその方法に関する。
【背景技術】
【０００２】
人々が自宅にて自分自身で、または美容院にて美容師を通じて毛髪染めをするいくつかの理由がある。 その理由は、灰色になっている髪の毛を覆い、髪の色合いを変えたり、その光沢を強調したりするためである。 また、毛髪染めは、髪に魅力的な外観を与えるため、特に一時的な着色組成物を用いることもある。髪に色を塗る方法や手段がいくつか存在する。 染料は、しばしば美容師により液体染料を用いて毛髪で完全に混合される。 このプロセスは自宅で行われる。 一般に、美容院の美容師や家庭の人々は、ブラシ、櫛、塗布器および半液体または液体状態の毛髪着色組成物を用いて毛髪染めすることを見出した。 この方法は毛髪に塗布することは非常に単純ですが、選択された毛髪の部分に塗布することが容易ではなく、人の手や皮膚と刺激物を含む毛髪染料との不必要な接触可能性がある。
【０００３】
従来、毛髪染めまたは光沢強調のための種々の毛髪染めや仕上げ装置とその方法が提供されている。 その一部について以下に説明する。
【０００４】
これらの方法の 一つは、孔を有し、人の頭に置かれるキャップを利用する。着色または光沢強調される選択された毛髪は、キャップの孔にぴったりと引っ張られ。 次いで、着色剤が、キャップの孔を通じて延びている毛髪束に塗布される。 着色剤が塗布され、毛髪染めに必要な処理時間の間放置された後、キャップが除去される。 この技術は、時間がかかり、退屈であり、特定の毛髪束を標的にすることができない。
【０００５】
キャリー等による米国特許第6,237,608号には、毛髪染めまたは光沢強調するため、美容師およびヘアスタイリストが使用できる金属フォイル製の分配装置が記載されている。 開示されたフォイル法は、より小さく、より独立に、より一貫して多彩な部分を着色し、周囲の毛髪への色の拡散リスクを効果的に低減することが可能である。 しかしながら、これらの利点を有しているものの、フォイル法は非常に時間がかかり、高価
【０００６】
ウィリー等による米国特許第6,675,812号には、 塗布するための櫛またはブラシおよびオプションのスポンジを有する手持式分配器と、染料を毛髪に分配し、かつ染料を塗布し、同時に毛髪に櫛をして広げるのに使用できる分配器が記載されている。この方法は、毛髪の片面を着色するが、正確な着色を可能にしない。
【０００７】
ミッチェル等による米国特許第6.568,404号には 毛髪束に毛髪処理液を付着させるための塗布器が記載されている。 説明されているように、塗布器は、ホック形状の端部を有する長手方向の容器形態を有する。 毛髪束をホック形状の端部に配置し、塗布器を毛髪束の長さ方向に沿って引っ張って処理液を毛髪束上に付着させる。 これは、液状着色剤を塗布するために使用される塗布器装置の別の例示的な先行技術である。 この方法は、毛髪の片面を着色するが、正確な着色を可能にしない。
【０００８】
それゆえ、上記装置および他の毛髪着色用装置が先行技術において提供されている。 こ
【０００９】
したがって、ここでは、毛髪染めまたは光沢強調のため、従来から使用されている装置、方法または技術に関連する短期間の問題に対処するか、または少なくとも改善することができる毛髪着色装置の必要性が存在する。
【発明の概要】
【発明が解決しようとする課題】
【００１０】
それゆえ、本発明の目的は、毛髪、特に一つまた複数の毛髪束に毛髪着色組成物をより迅速に、取り散らさず、能率的に塗布することを可能にする毛髪着色装置を提供することである。
【００１１】
本発明の他の目的は、より小さく、経済的で、信頼性が高く、安全に使用できる毛髪着色装置を提供することである。
【００１２】
本発明の他の目的は、着色剤の漏れがなく毛髪に着色剤を塗布するのを助け、毛髪上に着
【００１３】
本発明の他の目的は、着色される毛髪束を容易に見て、選択を制御できる毛髪着色装置を
【００１４】
本発明の他の目的は、毛髪束のインスタント着色を容易にする毛髪着色装置を提供するこ
【００１５】
本発明の他の目的は、毛髪束の両面同時着色を可能にする毛髪着色装置を提供することで
【００１６】
本発明の他の目的は、毛髪着色剤カートリッジを装着する場合いのような使用の特別な経験および訓練を必要としない毛髪着色装置を提供することである。 消費者/利用者は、製造元から提供された取扱説明書の指示に従うだけで、装置を装着して使用することができる。
【課題を解決するための手段】
【００１７】
本発明の一態様に従い、一つまたは複数の毛髪束を選択的に着色または光沢強調するための毛髪着色装置が提供されている。 この装置は、トップハウジングと、係合機構を用いて遠位端部においてトップハウジングに移動可能に係合されるボトムハウジングと、第1着色剤充填カートリッジキャリアを収容し、トップハウジングに備えられた開口内に着脱可能に設置される第1カートリッジキャリアと、第2着色剤充填カートリッジを収容し、ボトムハウジングに備えられた開口内に着脱可能に配置される第2カートリッジと、各々のチップが第1カートリッジキャリアおよび第２カートリッジキャリアの近位端部に配置される一対の塗布器チップと、を含んでいる。係合機構は、装置を閉位置と開位置との間で交互に切替えることを可能にする。  
【００１８】
本発明の他の態様に従い、毛髪着色装置が提供される。 この装置は、上部空洞を有するように構成されたトップハウジングと、下部空洞を有するように構成されたボトムハウジングとを備え、ボトムハウジングは、係合機構を用いて遠位端部においてトップハウジングに移動可能に係合し、一対の塗布器チップの各々のチップは、トップハウジングおよびボトムハウジングの近位端部に配置される。係合機構は、装置を閉位置と開位置との間で
【００１９】
本発明の他の態様に従い、一つまたは複数の毛髪束を選択的に着色するため、毛髪着色装置を使用する方法が提供される。 この方法は、毛髪着色装置を提供することを含み、毛髪着色装置は、トップハウジングと、係合機構を用いて遠位端部でトップハウジングに移動可能に係合されるボトムハウジングと、第1着色剤充カートリッジキャリアを収容し、トップハウジングに備えられた開口内に着脱可能に設置される第1カートリッジキャリアと、第2着色剤充填カートリッジを収容し、ボトムハウジングに備えられた開口内に着脱可能に配置される第2カートリッジキャリアと、各々のチップが第1カートリッジキャリアおよび第２カートリッジキャリアの近位端部に設置される一対の塗布器チップと、を含んでいる。係合機構は、装置を閉位置と開位置との間で交互に切替えることを可能にする。
【００２０】
同じ態様に従い、該方法は、一つまたは複数の毛髪束に着色剤を分配し、一対の塗布器チップ間の閉位置にいる間に、一つまたは複数の毛髪束を掴み、着色剤を塗布するために一つまたは複数の毛髪束の長さに沿って毛髪着色装置を移動させ、その位置と閉位置との間で毛髪着色装置を交互に切替えることを含む。
【００２１】
本発明の他の態様、特徴および利点は、本発明を実施するために考えられる最良の形態を含む実施態様および実施を示すことによって、以下の詳細な説明から容易に明らかになるであろう。
以下、添付図面を参照して本発明の実施態様について説明する：
【図面の簡単な説明】
【００２２】
【図１】図1は、本発明の一実施態様に従う、毛髪着色装置の斜視図である。
【図２】図2は、図1の毛髪着色装置の分解図である。
【図３】図3は、例示的な実施態様に従い、毛髪着色装置を毛髪束に毛髪着色組成物を供給するために使用する方法を示す図である。
【図４】図4は、本発明の他の例示的な実施態様に従う、毛髪着色装置の斜視図である。
【図５】図5は、他の例示的な実施態様に従う、図1の毛髪着色装置の分解図である。
【図６】図6A-6Cは、例示的な実施態様に従う、装置への印加圧力の変化に基づく塗布器チップの配列を示す。
【発明を実施するための形態】
【００２３】
以下、本発明の一つまたは複数の好ましい実施態様を示す添付の図面を参照して、本発明をより完全に説明する。 しかしながら、本発明は、多くの異なる形態で実施することができ、本明細書に記載の実施態様に限定されるものと解釈すべきではない。 むしろ、これらの実施態様は、本開示が完璧かつ完全であり、本発明の範囲を当業者に十分に伝えるように提供される。 本発明の少なくとも一つの実施態様を詳細に説明する前に、本明細書で使用される表現および用語は説明のためのものであり、限定的であると見なされるべ
【００２４】
好ましい実施態様に従い、参照番号10または40または50で一般的に確認されている毛髪着色装置を、図1から図6までの複数の図を参照して説明される。 分解図（図2）に最もよく示されているように、毛髪着色装置10は、トップハウジング11およびボトムハウジング12を含む。トップハウジング11は、近位端部11aと遠位端部11bを含む。同様に、ボトムハウジング12は、近位端部12aおよび遠位端部12bを含む。 トップハウジング11およびボトムハウジング12は、それぞれ開口13および14を含む。
【００２５】
図2をさらに参照すると、毛髪着色装置10は、第1着色剤充填カートリッジ19を受容するための内部空洞17を有する第1カートリッジキャリヤ15を含む。第1カートリッジキャリア15は、トップハウジング11に設けられた開口13内に着脱可能に配置される。また、装置10は第2着色剤充填カートリッジ20を収容するための内部空洞18を有する第2カートリッジキャリア16を含む。第2カートリッジキャリア16は、ボトムハウジング12に設けられた開口14内に着脱可能に配置される。第1カートリッジキャリア15は、近位端部15aおよび遠位端部15bを含む。 同様に、第2カートリッジキャリア16は、近位端部16aおよび遠位端部16bを含む。 第1カートリッジキャリア15および第2カートリッジキャリア16の内部空洞17,18のサイズは、空洞17,18の内壁内で第1着色剤充填カートリッジ19と第2着色剤充填カートリッジキャリアを緊密に嵌合できるような適切なサイズにするか、あるいは僅かに大きいサイズにすることができることを理解されたい。
【００２６】
図5を参照してわかるように一部の実施態様に従い、毛髪着色装置50は、自体が開位置にあるとき、トップハウジング11およびボトムハウジング12の内外に容易にクリップされ得るように設計された着色剤充填カートリッジ19,20を即時に内蔵することができる。 着色剤充填カートリッジ19,20には、固定または着脱可能に取付けられる塗布器チップ21,22を有してもよい。 一実施態様に従い、カートリッジ19,20は、クリップされていない位置では外部染料資源で充填されてもよく、カートリッジ19,20がクリップされた位置にある場合には、塗布器チップ19,20を介して外部着色資源で充填されてもよい。
【００２７】
一部の実施態様に従い、装置10は、第1着色剤充填カートリッジ19および第2着色剤充填カートリッジ20を使用する代わりに、様々な形態の着色剤を保持するために適切に設計された中空空洞や容器を利用してもよく、特にこの着色剤は、毛髪染めに利用される一部他の髪の肌理,またはヘアスタイル装置と同様に、毛髪束上の塗布器チップを通じて流動できる液体形態になっている。この容器は、装置10に着脱可能または固定的に設置された外部着色資源で充填することができる。一実施態様に従い、トップハウジング11とボトムハウジング12はカートリッジキャリア15，16および着色剤充填カートリッジ19，20が無くても、中空になるように構成されえる。トップハウジング11内の上部中空空洞とボトムハウジング12内の下部中空空洞は、塗布器チップ21，22を介して様々な形態の着色剤を充填することができる容器として作用することができる。またはこのチップ21，22を取除き、適切な外部手段を介して、容器に着色剤を直接注入することもできる。同じ実施態様に従い、各々の塗布器先端部21,22は、顎上部ハウジングの近位端部およびボトムハウジングに直接配置されてもよい。
【００２８】
また、図2に示したように、好ましい実施態様に従い、 一対の塗布器チップ21、22は、第1カートリッジキャリア15および第２カートリッジキャリア16の近位端部15a、16aに着脱可能に溝付けられてもよい。 塗布器チップ21および22は、使用中に着色剤を毛髪束に供給することができるように、いくつかの小さな開口部を備えることが好ましい。 上述したように、塗布器チップ21,22は、第1着色剤充填カートリッジ19、第2着色剤充填カートリッジ20または容器を充填するために使用することもできる。 塗布器チップ21,22は、毛髪を引っ張らなくても毛髪束に接触できるように構成されている。 装置10に備えられたこれらの塗布器チップ21,22は、毛髪束の両面同時着色を可能にする。 塗布器チップ21,22はその設計を変更できることが好ましく、円状または星状に限定するものではない。 塗布器チップ21,22の様々な設計は、利用者が、毛髪束に様々な形状の色をスタンプするために使用することができる。使用中、装置10または40または50が使用されると、塗布器チップ21,22は一緒になってその間に一つまたは複数の毛髪束を保持して着色させる。 塗布器チップ21,22の相互の整列は、利用者が装置10または40または50を使用してに加える圧力に依存する。装置を使用する利用者が圧力を加えない場合、塗布器チップ21,22は正常整列される。図６Aに示すように、利用中に利用者が装置に最大圧力を加えると、塗布器チップ21，22は図6Cに示すように相互に完全に整列される。同様に、少量の圧力だけを塗布器チップ21，22に加える場合、塗布器チップ21,22は、図６Bに示すように、部分的に整列するだけである。
【００２９】
再び図1−図2を参照すると、トップハウジング11およびボトムハウジング12は、対応する遠位端部11bおよび12bに係合機構23を有する。 係合機構23は、トップハウジング11とボトムハウジング12とがスナップ嵌合するのを助け、利用者が装置10を閉位置と開位置との間で相互に切り替えさせて着色組成物を分配または分配を阻止することを可能にする。  記載された実施態様に従い、装置10または40は、装置が使用されていない場合には着色組成物の分配をしっかりと阻止し、装置10または22を将来に使用するために安全に保管するため、1対の塗布器チップ21,22に嵌合する交換可能なキャップ24を含むことができる。図5に示されている他のすべての係合機構は、上述の目的を満たすためにも使用することができることを理解されたい。
【００３０】
第1着色剤充填カートリッジ19と第２着色剤充填カートリッジ20または容器は、クリームまたはその任意の配合物ような固体形態または液体形態または半固体形態の毛髪着色製剤を収容してもよい。 カートリッジ19、20に含まれる着色剤は、永久または半永久的であり、性質上一時的であり得る。
【００３１】
本発明の少なくとも一つの実施態様に従い、収容されたカートリッジ19,20は、装置10または40内に永久的に固定されてもよく、交換可能であってもよいことも理解されたい。 また、一部他の実施態様に従い、カートリッジ19,20は、好ましくは外部手段、例えばチューブを用いてて外部着色資源を使用して補充することができる。 さらに一部他の実施態様では、装置10または40は、カートリッジ19,20に充填するために着色剤のキャニスタを利用してもよい。キャニスタは、装置10または40に永久、または着脱可能に取り付けられてもよい。
【００３２】
上記の目的で述べた装置10または40または50は、着色剤/染料を溶媒または液体染料と完全に混合するという面倒な作業を必要としない、任意の時点で使用者が使用できる状態のインスタント着色装置である。しかしながら、当業者であれば、装置10または40または50がインスタント着色準備ができていない場合に、インスタント着色する準備ができるようにするため、装置10または40または50にとって、処理時間をいくらか許容される必要があることを理解されたい。
【００３３】
また、着色粉砕カートリッジ19,20を使用する範囲は、特定の色を含むことに限定されないことも理解されたい。 赤色、黄色、オレンジ色、紫色、茶色、黒色、それらの任意の組合せまたは色合い、または他のものを含むことができるが、これらに限定されなく、一つまたは複数の色がカートリッジ19,20に含まれてもよい。 一部の他の実施態様に従い、カートリッジ19,20に含まれる着色組成物は、カートリッジ19,20内の別個のセクションに分離されてもよく、ユーザが異なる色のストライプを毛髪束に塗布することを要求してもよい。
【００３４】
次に図３を参照する。 図3は、毛髪束を着色または光沢強調するために毛髪着色装置40を使用する方法を示す。 この方法は、図1−図2を参照して上述した要素を含む毛髪着色装置40と、トップハウジング11と、トップハウジング11に係合機構23を用いて移動可能に係合されるボトムハウジング12と、第1着色剤充填カートリッジ19および第2着色剤充填カートリッジ20を収容するためのカートリッジキャリア15および第2カートリッジキャリア16と、各々のチップが第1カートリッジキャリアと第2カートトリッジキャリアの近位端部に着脱可能に溝付けされた一対の塗布器チップ21,22と、を備える段階を含んでいる。
【００３５】
本実施態様に従い、毛髪束の着色または光沢強調のために毛髪着色装置40の利用者によって適応される方法は、第1着色剤充填カートリッジ19および第2着色剤充填カートリッジ20を第1カートリッジキャリア15と第2カートリッジキャリア16の内部空洞に配置し、毛髪束を装置40の一対の塗布器チップ21,22の間に配置し、装置40を閉位置と開位置との間で交互に切替させることにより、毛髪束に着色剤を分配または阻止し、装置40を閉位置と開位置に交互に切替することによって毛髪束を掴み、カートリッジ19，20に充填された着色剤を毛髪束に塗布するため、毛髪束の長さに沿って装置40を移動させてることを含む。
【００３６】
毛髪着色装置10は、毛髪束に毛髪着色組成物または調合物を塗布することができる多くの形状および構成を有することができる。 図 1、図4および図5からよく分かるように、トップハウジング11およびボトムハウジング12または上記の他の要素は、異なる形状および構成を有することができる。 毛髪着色装置40は、組成に応じて形状は異なるが（図1−2で述べたように）、前記したように、その機能はそのままである。
【００３７】
特定の設計をもつ一部の実施態様（図1または図2または図5のようなもの）が図示され、上で説明されているが、装置10は、同様の要素を有するいくつかの他の形状または構成を有してもよく、他の  一つの要素と結合されても良いことを理解されたい。
【００３８】
上記の要素の各々または2つまたはそれ以上の要素は、上述の種類とは異なる他の種類の構成においても有用な用途を見出すことができることも理解されたい。
【００３９】
本発明が毛髪染めまたは光沢強調装置の実施態様として、その詳細部に限定されず例示され説明されたが、種々の脱落、修正、代用と形式の変更、そして例示された装置の形式と詳細部の変更とわれわれの操作は、本発明の精神または範囲から出発していない技術の熟練者によりなされ得る。
【図１】
2018510744.tif 000003
【図２】
2018510744.tif 000004
【図３】
2018510744.tif 000005
【図４】
2018510744.tif 000006
【図５】
2018510744.tif 000007
【図６】
2018510744.tif 000008
【国際調査報告】
2018510744.tif 000009
2018510744.tif 000010
2018510744.tif 000011